(57)【要約】【課題】管理された複数文書及び版が持つ属性情報及び要約に基づいて、トレンド推移を表示する技術を提供する。【解決手段】文書変遷抽出装置は、登録対象の文書及びその属性情報を登録する入力手段１と、入力手段１によって登録された複数文書及び版が持つ属性情報及び要約を利用して文書変遷情報の抽出を行う文書変遷抽出手段２と、文書の変遷経緯のトレンド推移をグラフ表示する出力手段３と、を備える。文書変遷抽出装置は、キーワードの登場回数及びスコアを抽出し、文書変遷として蓄積、管理することで、文書や版が持つ時系列情報とあわせて表示し、文書や版の変遷、キーワードのトレンドの可視化を行う。【選択図】図１
2011014086.tif 000002
【特許請求の範囲】
【請求項１】
文書管理システムに登録した文書の変遷経緯のトレンド推移を抽出し、表示する文書変遷抽出装置において、
登録対象の文書及びその属性情報を登録する入力手段と、
前記入力手段によって登録された複数文書及び版が持つ属性情報及び要約を利用して文書変遷情報の抽出を行う文書変遷抽出手段と、
文書の変遷経緯のトレンド推移をグラフ表示する出力手段と、
を備えることを特徴とする文書変遷抽出装置。
【請求項２】
請求項１に記載の文書変遷抽出装置において、
前記文書変遷抽出手段は、前記入力手段によって登録された前記複数の文書及び版のそれぞれについて、要約を抽出し、抽出した要約を利用してキーワードの抽出を行い、抽出したキーワードを属性分類辞書を用いて属性分類値に変換し、該属性分類値と、時系列情報と、スコア及び／又は登場回数を関連付けてデータベースに蓄積し、
前記出力手段は、検索条件として指定されたキーワードを前記属性分類辞書を用いて属性分類値に変換し、該属性分類値を用いて前記データベースを検索し、スコア及び／又は登場回数のトレンド推移をグラフ表示する
ことを特徴とする文書変遷抽出装置。
【請求項３】
請求項１または２に記載の文書変遷抽出装置の機能をコンピュータに実現させるための文書変遷抽出プログラム。
【発明の詳細な説明】
【技術分野】
【０００１】
この発明は、文書管理システムに登録した文書の活用手法に関し、文書の変遷経緯のトレンド推移を抽出し、表示することを可能とする技術に関するものである。
【背景技術】
【０００２】
従来の文書管理システムでは、文書本文に対して属性を付与することで、文書のキーワードを用いて文書の特定を行ったり、文書本文を確認することなく文書の概要を掴んだりすることができた。また、属性付与の手間を軽減する目的で、文書の要約抽出による概念検索や、文書本文内の文字情報を利用した全文検索が実用的な手段として利用されている。例えば、特許文献１には概念検索システム及び概念検索方法が記載されている。
【先行技術文献】
【特許文献】
【０００３】
【特許文献１】特開２００７−０２６１１６号公報
【発明の概要】
【発明が解決しようとする課題】
【０００４】
上述した文書管理システムでは、個々の文書を管理するのみで、複数文書の関連づけ、傾向分析は操作者の技量を必要とする手作業に依存していた。例えば、技術情報に対する特定のカテゴリについて時系列の動向を把握するためには、複数の文書を取り出して内容を確認して情報収集したり、他の手段による情報収集とあわせた分析を行ったりする必要があった。また、個々の文書についても前回からの変更点、過去の経緯を抽出するためには、過去の版の内容を確認し、差異を手動で抽出する必要があった。
【０００５】
本発明は、上記問題を解決し、文書管理システムに管理されている複数文書及び版が持つ属性情報及び要約を利用して文書変遷情報を抽出し、差分変遷のトレンド推移をグラフ表示する文書変遷抽出装置及び文書変遷抽出プログラムを得ることを目的とするものである。
【課題を解決するための手段】
【０００６】
上記目的を達成するために、本発明においては、文書本文の自然言語処理によって得られる属性情報及び要約から、キーワードの登場回数及びスコアを抽出し、文書変遷として蓄積、管理することで、文書や版が持つ時系列情報とあわせて表示し、文書や版の変遷、キーワードのトレンドの可視化を特徴とする。
【発明の効果】
【０００７】
本発明によれば、登録対象文書の特徴であるキーワードを自動的に分類し、時系列にトレンド表示することができ、文書管理のためのキーワード付けの煩雑さを軽減した上で、目的とする文書やその関連文書の推移の傾向を把握、特異点の抽出が可能となる。
【図面の簡単な説明】
【０００８】
【図１】本発明の実施の形態１による文書変遷抽出装置の構成を示す説明図である。
【図２】入力手段１、文書変遷抽出手段２、出力手段３の処理の流れを示すフローチャートである。
【図３】入力手段１及び文書変遷抽出手段２における情報の流れを示す説明図である。
【図４】文書変遷抽出手段２における属性分類方法を示す説明図である。
【図５】属性分類及びスコアを保持するテーブル構造の説明図である。
【図６】出力手段３における操作画面及びトレンド推移グラフの説明図である。
【発明を実施するための形態】
【０００９】
以下、本発明の実施の形態を図を用いて詳細に説明する。
【００１０】
実施の形態１は、文書管理システムの一部を実現する文書変遷抽出装置及び文書変遷抽出プログラムであり、文書管理システムに管理されている複数文書及び版が持つ属性情報及び要約を利用して文書変遷情報を抽出し、差分変遷のトレンド推移をグラフ表示する文書変遷抽出装置及び文書変遷抽出プログラムである。
【００１１】
図１は実施の形態１における文書変遷抽出装置の構成を示す構成図であり、本実施の形態の説明に必要な部分のみを示している。
【００１２】
図１において、文書変遷抽出装置は、文書管理システムに登録対象文書を格納する入力手段１、入力手段１で登録した文書の本文から文書情報の変遷を示す情報である文書変遷情報を抽出する文書変遷抽出手段２、文書変遷抽出手段２で抽出した文書情報の変遷の画面表示を行う出力手段３、登録対象文書の名称や登録日、版番号（属性情報）や要約から抽出されたキーワードなどを格納する属性管理ＤＢ４、文書変遷情報を格納する文書変遷管理ＤＢ５、文書管理システムに登録されている文書そのものを格納する文書本文ＤＢ６で構成される。
【００１３】
入力手段１では、文書管理システムに登録対象文書を格納する。登録対象文書本文は、文書本文ＤＢ６として、必要に応じて入力した属性を属性管理ＤＢ４に格納する。
【００１４】
文書変遷抽出手段２は、登録対象文書から抽出した要約を抽出する。この要約の抽出については従来技術を利用する。詳細は図３にて後述する。続いて登録対象文書本文から抽出した要約から属性（キーワード）の抽出及びその分類を行い、文書変遷ＤＢに時系列ごとに抽出された属性分類値を格納する処理を行う。詳細は図４及び図５にて後述する
出力手段３は、検索条件として指定されたキーワードから、属性分類値への置換を行い検索条件として利用し、検索条件に属性分類値のスコアを時系列にプロットして画面表示する。とある時点を選択することで、その時点での文書一覧を表示する。詳細は図６にて後述する。
【００１５】
図２は、図１における入力手段１、文書変遷抽出手段２、出力手段３の処理の流れを表すフローチャートである。以下、図２を用いて処理の流れを説明する。
【００１６】
はじめに、入力手段１にて登録対象文書を文書管理システムに登録する（Ｓ１００）。
【００１７】
続いて、文書変遷抽出手段２にて、文書登録（Ｓ１００）で登録した文書より要約を抽出し、抽出した要約からキーワードを抽出する（Ｓ２００）。次に抽出したキーワードをシステムが持つ辞書を用いて属性分類値へ変換し（Ｓ３００）、属性値分類（Ｓ３００）で変換した属性分類値を、登録対象文書ごとに属性分類値のスコアを作成し、改訂の都度時系列に記録する（Ｓ４００）。次に、文書管理システムを用いた検索実行を行う。検索時に入力した検索条件値を検索軸として属性分類値に変換する。ここで属性分類値への変換は属性値分類（Ｓ３００）と同様の手法にて変換する（Ｓ５００）。さらに属性分類値を用いて検索を行い、結果出力（Ｓ６００）を行い作業が完了する。
【００１８】
図３は、登録対象文書からキーワードの抽出、属性分類値へ変換する流れを示す概念図である。
【００１９】
登録対象文書の文書本文ＤＢ６から要約８を抽出し、要約８からキーワード９を抽出する。
【００２０】
抽出したキーワード９や、登録対象文書の登録時に入力した属性値（属性情報）７について、属性管理ＤＢ４に保管する。
【００２１】
図４は、抽出キーワード１１を属性分類値に変換する例示である。抽出キーワードを、あらかじめシステムが持つ属性分類辞書１０を用いて属性分類値１２に置き換える。これにより、類似した抽出キーワードを同一のものとして取り扱うことを可能とする。
【００２２】
図５は、属性分類値の変遷を記録するためのテーブル構造の概念図である。図５は、文書変遷管理ＤＢ５に格納されている文書変遷情報の例であり、文書ＩＤ、属性分類値、時系列、スコアが関連付けられて格納されている。時系列は図３の属性値（属性情報）７の「作成／更新日」に基づいており、図５には、２００９／０１／０１と２００９／０１／０２と２００９／０１／０３に作成／更新された三つの版についての例が示されている。また、スコアは既存概念検索技術の概念エンジンが算出した類似度を数値化したものであり、算出の方法は概念検索エンジンに依存する。なお、図５はスコアを格納した例であるが、スコアの代わりに登場回数を格納してもよく、また、スコア及び登場回数を格納してもよい。
【００２３】
登場回数及びスコアは、既存概念検索技術を用いて要約に対する属性分類毎に得る。
【００２４】
図６は、文書変遷検索（Ｓ５００）及び結果出力（Ｓ６００）の画面遷移を示した概念図である。
【００２５】
検索条件入力画面１４にて入力した検索条件を、属性分類辞書１０を用いて属性分類値に変換を行い、図５に示す属性値分類のテーブル構造を対象に検索を実行する。検索結果は、文書変遷トレンド表示画面１５において画面表示を行う。トレンドグラフ１６には、スコア及び／又は登場回数をｙ軸、ｘ軸を更新時刻としてプロットすることで文書の変遷経緯のトレンド推移（差分変遷）が表示される。
【００２６】
また、例えば、図６の点線で示す時点を選択することで、その時点での文書一覧を表示することができる。
【００２７】
本実施の形態により、文書や版が持つ時系列情報とあわせて表示し、文書や版の変遷、キーワードのトレンドの可視化をすることができる。
【００２８】
以上、本実施の形態を詳細に説明したが、本実施の形態の文書変遷抽出装置は、登録対象の文書及びその属性情報を登録する入力手段１と、入力手段１によって登録された複数文書及び版が持つ属性情報及び要約を利用して文書変遷情報の抽出を行う文書変遷抽出手段２と、文書の変遷経緯のトレンド推移をグラフ表示する出力手段３と、を備えていればよい。
【００２９】
また、文書変遷抽出手段２は、入力手段１によって登録された前記複数の文書及び版のそれぞれについて、要約を抽出し、抽出した要約を利用してキーワードの抽出を行い、抽出したキーワードを属性分類辞書を用いて属性分類値に変換し、該属性分類値と、時系列情報と、スコア及び／又は登場回数を関連付けて文書変遷管理ＤＢ５に蓄積し、出力手段３は、検索条件として指定されたキーワードを前記属性分類辞書を用いて属性分類値に変換し、該属性分類値を用いて文書変遷管理ＤＢ５を検索し、スコア及び／又は登場回数のトレンド推移をグラフ表示するものであってもよい。
【００３０】
以上説明した本実施の形態の文書変遷抽出装置はコンピュータとプログラムで構成することができる。
【００３１】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【符号の説明】
【００３２】
１  入力手段
２  文書変遷抽出手段
３  出力手段
４  属性管理ＤＢ
５  文書変遷管理ＤＢ
６  文書本文ＤＢ
７  属性値（属性情報）の例
８  要約
９  キーワードの例
１０  属性分類辞書
１１  抽出キーワード
１２  属性分類値
１３  属性分類テーブル構造
１４  検索条件入力画面
１５  文書変遷トレンド表示画面
１６  トレンドグラフ
【図１】
2011014086.tif 000003
【図２】
2011014086.tif 000004
【図３】
2011014086.tif 000005
【図４】
2011014086.tif 000006
【図５】
2011014086.tif 000007
【図６】
2011014086.tif 000008